(57)【要約】本発明は、保護カバー及び保護カバーを備える機器を提供し、電子機器のアクセサリー分野に関する。前記保護カバーを備える機器は、電子機器と、保護カバーとを備え、前記電子機器は、ディスプレイと、ホールセンサーとを備え、前記保護カバーには、少なくとも２つの磁石を備える磁気体が設けられ、前記保護カバーが前記ディスプレイを覆う場合、少なくとも１つの前記磁石の磁力線が前記ホールセンサーを通過する。保護カバーには、少なくとも２つの磁石を設けることによって、保護カバーがディスプレイを覆い移動する場合、当該２つの磁石のうち少なくとも１つの磁石の磁力線が電子機器におけるホールセンサーを通過させるので、従来の関連技術における磁石強度を強くすると電子コンパスの安定性に悪影響を与える問題を解決することができる。保護カバーが移動しても、１つの磁石の磁力線がホールセンサーを通過し、磁石強度を強くせず、画面ロックとその解除とを確実に行うことを確保することができる。【選択図】図２Ａ
2016524516.tif 000002
【特許請求の範囲】
【請求項１】
電子機器と、保護カバーとを備え、
前記電子機器は、ディスプレイと、ホールセンサーとを備え、
前記保護カバーには、少なくとも２つの磁石を備える磁気体が設けられ、前記保護カバーが前記ディスプレイを覆う場合、少なくとも１つの前記磁石の磁力線が前記ホールセンサーを通過する
ことを特徴とする保護カバーを備える機器。
【請求項２】
前記磁気体は、第１磁石と第２磁石とを備え、
前記第１磁石と前記第２磁石とは、前記保護カバーが前記ディスプレイを覆う場合、前記第１磁石と前記第２磁石とのそれぞれの前記ディスプレイにおける投影と前記ホールセンサーとが、同一の直線に位置すると共に、前記第１磁石の投影と前記第２磁石の投影とが、それぞれ前記ホールセンサーの両側に対称に位置するように設置される
ことを特徴とする請求項１に記載の保護カバーを備える機器。
【請求項３】
前記第１磁石と前記第２磁石とを連結してなる直線が、前記ディスプレイの横方向と平行し、或は、前記第１磁石と前記第２磁石とを連結してなる直線が、前記ディスプレイの縦方向と平行する
ことを特徴とする請求項２に記載の保護カバーを備える機器。
【請求項４】
前記磁気体は、少なくとも２対の磁石を有し、
前記磁気体における任意な２対の磁石である第１対の磁石と第２対の磁石は、前記保護カバーが前記ディスプレイを覆う場合、各対の磁石の前記ディスプレイにおける投影が、前記ホールセンサーの両側に対称に位置すると共に、第１対の磁石を連結してなる直線と、第２対の磁石を連結してなる直線とがなす角の最小値が０よりも大きくなるように設置される
ことを特徴とする請求項１に記載の保護カバーを備える機器。
【請求項５】
ホールセンサーを備える電子機器のディスプレイを覆うための保護カバーであって、
前記保護カバーには、少なくとも２つの磁石を備える磁気体が設けられ、
前記保護カバーが前記ディスプレイを覆う場合、少なくとも１つの前記磁石の磁力線が前記ホールセンサーを通過する
ことを特徴とする保護カバー。
【請求項６】
前記磁気体は、第１磁石と第２磁石とを備え、
前記第１磁石と前記第２磁石とは、前記保護カバーが前記ディスプレイを覆う場合、前記第１磁石と前記第２磁石とのそれぞれの前記ディスプレイにおける投影と前記ホールセンサーとが、同一の直線に位置すると共に、前記第１磁石の投影と前記第２磁石の投影とが、それぞれ前記ホールセンサーの両側に対称に位置するように設置される
ことを特徴とする請求項５に記載の保護カバー。
【請求項７】
前記第１磁石と前記第２磁石とを連結してなる直線が、前記ディスプレイの横方向と平行し、或は、前記第１磁石と前記第２磁石とを連結してなる直線が、前記ディスプレイの縦方向と平行する
ことを特徴とする請求項６に記載の保護カバー。
【請求項８】
前記磁気体は、少なくとも２対の磁石を有し、
前記磁気体における任意な２対の磁石である第１対の磁石と第２対の磁石は、前記保護カバーが前記ディスプレイを覆う場合、各対の磁石の前記ディスプレイにおける投影が、前記ホールセンサーの両側に対称に位置すると共に、第１対の磁石を連結してなる直線と、第２対の磁石を連結してなる直線とがなす角の最小値が０よりも大きくなるように設置される
ことを特徴とする請求項５に記載の保護カバー。
【発明の詳細な説明】
【相互参照】
【０００１】
本願は、出願番号がＣＮ２０１４１０３０２９８７．２であって、出願日が２０１４年６月２７日である中国特許出願に基づき優先権を主張し、当該中国特許出願のすべての内容を本願に援用する。
【技術分野】
【０００２】
本発明は、電子機器のアクセサリー分野に関し、特に保護カバー及び当該保護カバーを備える機器に関する。
【背景技術】
【０００３】
現在のスマートフォーンやタブレット等の電子機器のディスプレイを大きくする傾向がある。ユーザが使用する時に、電子機器のディスプレイを保護するために、電子機器に保護カバーを装着することが一般的である。そして、保護カバーを利用して画面ロックとその解除とが実現される。
【０００４】
一般的に、画面ロックとその解除の機能を実現するために、電子機器にはホールセンサーを設けると共に、保護カバーには一つの磁石を設けることにより、保護カバーを閉じているときに、ホールセンサーを当該磁石の磁界に位置させる。磁石の作用によって、ホールセンサーをＯＮ／ＯＦＦできることを確保するために、ホールセンサーと磁石との間の相対的な位置が高く要求される。ディスプレイの横方向において、磁石とホールセンサーとは一定の距離を隔てる場合がある。このように、保護カバーが閉じられた後、当該カバーを左右に移動することが可能であれば、磁石の磁力線がホールセンサーを通過しない恐れがある。この場合、一般的に、磁石の磁界強度を強くすることによって、保護カバーを左右に移動しても、磁石の磁力線がホールセンサーを通過できることを確保する。
【０００５】
本発明者は、本発明を検討の際に、従来の関連技術には、少なくとも以下の欠陥が存在していることを発見した。磁石の強度を強くすると、電子コンパス（ｃｏｍｐａｓｓ）の安定性に悪影響を与える。即ち、電子コンパスは、磁石の磁界を受けると、その精度に悪影響を与える。
【発明の概要】
【０００６】
従来の関連技術における強くされた磁石強度が、電子コンパスの安定性に悪影響を与える問題を解決するために、本発明は、保護カバー及び当該保護カバーを備える機器を提供する。
【０００７】
上記の技術案は、以下になる。
【０００８】
本発明の実施例の第１局面は、電子機器と、保護カバーとを備え、前記電子機器は、ディスプレイと、ホールセンサーとを備え、前記保護カバーには、少なくとも２つの磁石を備える磁気体が設けられ、前記保護カバーが前記ディスプレイを覆う場合、少なくとも１つの前記磁石の磁力線が前記ホールセンサーを通過する。
【０００９】
前記磁気体は、第１磁石と第２磁石とを備え、前記第１磁石と前記第２磁石とは、前記保護カバーが前記ディスプレイを覆う場合、前記第１磁石と前記第２磁石とのそれぞれの前記ディスプレイにおける投影と前記ホールセンサーとが、同一の直線に位置すると共に、前記第１磁石の投影と前記第２磁石の投影とが、それぞれ前記ホールセンサーの両側に対称に位置するように設置されることが好ましい。
【００１０】
前記第１磁石と前記第２磁石とを連結してなる直線が、前記ディスプレイの横方向と平行し、或は、前記第１磁石と前記第２磁石とを連結してなる直線が、前記ディスプレイの縦方向と平行することが好ましい。
【００１１】
前記磁気体は、少なくとも２対の磁石を有し、
前記磁気体における任意な２対の磁石である第１対の磁石と第２対の磁石は、前記保護カバーが前記ディスプレイを覆う場合、各対の磁石の前記ディスプレイにおける投影が、前記ホールセンサーの両側に対称に位置すると共に、第１対の磁石を連結してなる直線と、第２対の磁石を連結してなる直線とがなす角の最小値が０よりも大きくなるように設置されることが好ましい。
【００１２】
本発明の実施例の第２方面は、ホールセンサーを備える電子機器のディスプレイを覆うための保護カバーを提供し、前記保護カバーには、少なくとも２つの磁石を備える磁気体が設けられ、前記保護カバーが前記ディスプレイを覆う場合、少なくとも１つの前記磁石の磁力線が前記ホールセンサーを通過する。
【００１３】
前記磁気体は、第１磁石と第２磁石とを備え、前記第１磁石と前記第２磁石とは、前記保護カバーが前記ディスプレイを覆う場合、前記第１磁石と前記第２磁石とのそれぞれの前記ディスプレイにおける投影と前記ホールセンサーとが、同一の直線に位置すると共に、前記第１磁石の投影と前記第２磁石の投影とが、それぞれ前記ホールセンサーの両側に対称に位置するように設置されることが好ましい。
【００１４】
前記第１磁石と前記第２磁石とを連結してなる直線が、前記ディスプレイの横方向と平行し、或は、前記第１磁石と前記第２磁石とを連結してなる直線が、前記ディスプレイの縦方向と平行することが好ましい。
【００１５】
前記磁気体は、少なくとも２対の磁石を有し、前記磁気体における任意な２対の磁石である第１対の磁石と第２対の磁石は、前記保護カバーが前記ディスプレイを覆う場合、各対の磁石の前記ディスプレイにおける投影が、前記ホールセンサーの両側に対称に位置すると共に、第１対の磁石を連結してなる直線と、第２対の磁石を連結してなる直線とがなす角の最小値が０よりも大きくなるように設置されることが好ましい。
【００１６】
本発明の実施例の技術案は、以下の有益な効果を有する。
【００１７】
保護カバーには、少なくとも２つの磁石を設けることによって、保護カバーがディスプレイを覆い移動したとき、当該２つの磁石のうち、少なくとも１つの磁石の磁力線が電子機器におけるホールセンサーを通過するので、従来の関連技術における磁石強度を強くすると、電子コンパスの安定性に悪影響を与える課題を解決することができる。保護カバーがディスプレイを覆う場合、設けられた少なくとも２つの磁石のうち、少なくとも１つの磁石の磁力線が電子機器におけるホールセンサーを通過するので、保護カバーが移動しても、その１つの磁石の磁力線がホールセンサーを通過することができる。そのため、磁石強度を強くせず、画面ロックとその解除とを確実に行うことを確保することができる。
【００１８】
以上の概要的な説明と後の詳細な説明は例示的なものだけであり、本発明を限定しないと理解すべきである。
【図面の簡単な説明】
【００１９】
以下の図面は、明細書の一部分として明細書全体を構成することにより、本発明にかかる実施例を例示するとともに、明細書と共に、本発明の原理を解釈するためのものである。
【００２０】
【図１Ａ】例示的な実施例に係る保護カバーを備える機器及び保護カバーが閉じられた様子を示す模式図である。
【図１Ｂ】図１Ａにおける保護カバーが閉じられた後、磁石の磁力線がホールセンサーを通過している様子を示す模式図である。
【図１Ｃ】図１Ａにおける保護カバーが閉じられた後、磁石の磁力線がホールセンサーを通過しない様子を示す模式図である。
【図２Ａ】例示的な他の実施例に係る保護カバーを備える機器及び保護カバーが閉じられた様子を示す模式図である。
【図２Ｂ】図２Ａにおける保護カバーが閉じられた後、第１磁石と第２磁石の磁力線の両者がホールセンサーを通過している様子を示す模式図である。
【図２Ｃ】図２Ａにおける保護カバーが閉じられた後、第２磁石の磁力線がホールセンサーを通過している様子を示す模式図である。
【図２Ｄ】図２Ａにおける保護カバーが閉じられた後、第１磁石の磁力線がホールセンサーを通過している様子を示す模式図である。
【図２Ｅ】例示的な実施例における保護カバーが閉じられた後、２つの磁石とホールセンサーとの間の相対的な位置関係を示す模式図である。
【図３】例示的な実施例における保護カバーが閉じられた後、４つの磁石とホールセンサーとの間の相対的な位置関係を示す模式図である。
【発明を実施するための形態】
【００２１】
以下、図面に示される例示された実施例に対して詳しく説明する。以下の説明は、図面に関する場合、特別的な説明以外、各図面における同一の数字は、同一又は類似な要素を表す。以下に例示された実施例において説明された実施形態は、本発明と一致する全ての実施形態を含めることではない。逆に、これら実施形態は、特許請求の範囲に記載の本発明のある局面と一致する装置及び方法の例だけである。
【００２２】
本明細書において言及される「電子機器」には、スマートフォーン、タブレット、スマートＴＶ、電子ブックリーダー、ＭＰ３（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  III）プレーヤー、ＭＰ４（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  IV）プレーヤー、ポータブルコンピュータ、スマートカメラ、スマートビデオカメラ等を含む。
【００２３】
保護カバーが閉じられた後、電子機器におけるホールセンサーによる電子機器の待機の制御を実現するめに、一般的に、保護カバーには、当該保護カバーが閉じられた後に磁力線が当該ホールセンサーを通過することができるように、１つの磁石が設けられる。
【００２４】
具体的に、例示的な実施例に係る保護カバーを備える機器及び保護カバー閉じられた様子を示す模式図である図１Ａを参照する。図１Ａにおいて、保護カバーａ２に磁石ａ２２が設けられ、電子機器ａ４にホールセンサーａ４２が設けられる。そして、磁石ａ２２とホールセンサーＨとの相対的な位置は、保護カバーａ２が閉じられた場合（即ち、保護カバーａ２が、電子機器ａ４のディスプレイを覆う場合）、磁石ａ２２の電子機器における投影とホールセンサーＨとを連結してなる直線が、電子機器の横方向と平行する、即ち、保護カバーａ２が閉じられた場合、電子機器ａ４の横方向において、磁石ａ２２の電子機器における投影とホールセンサーＨとが揃えるように設定される。ここで、磁石ａ２２がホールセンサーＨよりも左側に位置する。
【００２５】
横方向に揃えた磁石ａ２２とホールセンサーＨとの距離を設定することができるので、保護カバーａ２が閉じられた場合、磁石ａ２２の磁力線がホールセンサーＨを通過することができる。図１Ａにおける保護カバーが閉じられた後、磁石の磁力線がホールセンサーを通過する様子を示す模式図である図１Ｂを参照し、磁石ａ２２の磁力線（即ち、磁石ａ２２のＮ極からＳ極までの磁力線）がホールセンサーＨを通過することができる。
【００２６】
しかし、磁石ａ２２が保護カバーａ２の固定位置に設けられ、ホールセンサーＨが電子機器ａ４の固定位置に設けられるので、保護カバーａ２が閉じられた後に左右移動すると、磁石ａ２２とホールセンサーＨとの相対的な位置が変化する。例えば、ホールセンサーＨよりも左側に位置する磁石ａ２２が左側へ移動すると、磁石ａ２２とホールセンサーＨとの距離が遠くなる。図１Ａにおける保護カバーが閉じられた後、磁石の磁力線がホールセンサーを通過していない様子を示す模式図である図１Ｃを参照し、このとき、磁石ａ２２の磁力線がホールセンサーＨを通過しないことになりやすい。
【００２７】
保護カバーａ２を移動しても、磁石ａ２２の磁力線が依然としてホールセンサーＨを通過することができるために、磁石ａ２２の磁界を強くすることが考えられるが、強くされた磁界は、電子機器ａ４における電子コンパスに大きな悪影響を及ぼしやすくなり、その結果、電子コンパスの精度を低下させる。
【００２８】
このため、図１Ａにおける保護カバーを改善する必要がある。改善後の保護カバーには、少なくとも２つの磁石を有する磁気体が設け、保護カバーが電子機器のディスプレイを覆う場合、少なくとも１つの磁石の磁力線がホールセンサーを通過するように構成される。
【００２９】
１つの実現形態において、磁気体は、第１磁石と第２磁石とを備え、第１磁石と第２磁石とは、保護カバーが電子機器のディスプレイを覆う場合、第１磁石と第２磁石とのディスプレイにおける投影とホールセンサーとが同一の直線に位置されると共に、第１磁石の投影と第２磁石の投影とがホールセンサーの両側に対称に位置されるように設置される。そして、保護カバーの左右移動によって、ホールセンサーを通過する磁力線に悪影響を与えないために、保護カバーが電子機器のディスプレイを覆う場合、第１磁石と第２磁石とを連結してなる直線は、ディスプレイの横方向と平行するように設置される。また、保護カバーの上下移動によって、ホールセンサーを通過する磁力線に悪影響を与えないために、第１磁石と第２磁石とを連結してなる直線は、ディスプレイの縦方向と平行するように設置される。
【００３０】
例えば、例示的な他の実施例に係る保護カバーを備える機器及び保護カバーが閉じられた様子を示す模式図である、図２Ａを参照する。図２Ａにおいて、保護カバーｂ２には第１磁石ｂ２２と第２磁石ｂ２４とが設けられ、電子機器Ｂ４にはホールセンサーＨが設けられる。図２Ａにおける保護カバーが閉じられた後、第１磁石と第２磁石との磁力線の両者がホールセンサーを通過している様子を示す模式図である図２Ｂに示されるように、保護カバーｂ２が電子機器Ｂ４のディスプレイを正面から覆う、即ち、第１磁石ｂ２２と第２磁石ｂ２４との投影がそれぞれホールセンサーＨの両側に位置する場合、図２Ｂにおいて、第１磁石ｂ２２と第２磁石ｂ２４との磁力線の両者がホールセンサーＨを通過している。
【００３１】
さらに、例えば、図２Ａにおける保護カバーが閉じられた後、第２磁石の磁力線がホールセンサーを通過している様子を示す模式図である図２Ｃに示されるように、図２Ａにおける保護カバーｂ２は、電子機器Ｂ４のディスプレイを覆い、且つ左側に移動した、即ち、第１磁石ｂ２２がホールセンサーＨから離間されると共に、第２磁石ｂ２４がホールセンサーに近づく場合、第１磁石ｂ２２がホールセンサーＨから離間されたので、第１磁石ｂ２２の磁力線がホールセンサーを通過しなくなるが、第２磁石ｂ２４がホールセンサーに近づいてなるので、第２磁石ｂ２４の磁力線が依然としてホールセンサーＨを通過する。
【００３２】
さらに、例えば、図２Ａにおける保護カバーが閉じられた後、第１磁石の磁力線がホールセンサーを通過している様子を示す模式図である図２Ｄに示されるように、図２Ａにおける保護カバーｂ２が電子機器Ｂ４のディスプレイを覆い、且つ右側に移動した、即ち第１磁石ｂ２４がホールセンサーＨに近づき、第２磁石ｂ２４がホールセンサーＨから離間される場合、第２磁石ｂ２４がホールセンサーＨから離間されたので、第２磁石ｂ２４の磁力線がホールセンサーを通過しなくなるが、第１磁石ｂ２２がホールセンサーに近づいてなるので、第１磁石ｂ２２の磁力線が依然としてホールセンサーＨを通過する。
【００３３】
保護カバーが電子機器のディスプレイを覆う場合、第１磁石と第２磁石との投影を連結してなる直線と当該ディスプレイの横方向とがなす角は、任意値であってもよい。例示的な実施例における保護カバーが閉じられた後、２つの磁石とホールセンサーとの相対的な位置関係を示す模式図である図２Ｅに示されるように、第１磁石ｂ２２と第２磁石ｂ２４とのそれぞれのディスプレイＰにおける投影を連結してなる直線Ｌと、ディスプレイＰの横方向とが、一定の角をなす。当該角が０度であり、この場合、直線ＬがディスプレイＰの横方向と平行するようにされることが可能である。当該角が９０度であり、この場合、直線ＬがディスプレイＰの縦方向と平行するようにされることが可能である。当該角が０度よりも大きく且つ９０度よりも小さくてもよい。
【００３４】
その他の実現形態において、磁気体は、少なくとも２対の磁石を備え、各対の磁石は、保護カバーが電子機器のディスプレイを覆いた場合、各対の磁石のディスプレイにおける投影がホールセンサーの両側に対称に位置されるように設置されることができる。磁気体における任意な２対の磁石における第１対の磁石を連結してなる直線と、第２対の磁石を連結してなる直線とがなす角の最小値は、０よりも大きくなることが好ましい。即ち、磁気体は、偶数個（例えば２個、４個、6個等）の磁石を備え、保護カバーが電子機器のディスプレイを覆いた場合、保護カバーにおける各対の磁石の投影がホールセンサーの両側に対称に位置されることにより、保護カバーが、各対の磁石の投影を連結してなる直線に移動すると、当該対の磁石における少なくとも１つの磁石の磁力線がホールセンサーを通過することを確保することができる。当然、各対の磁石について、図２Ｂ、図２Ｃ及び図２Ｄの全てを参照することができる。
【００３５】
例えば、例示的な実施例における保護カバーが閉じられた後、４つの磁石とホールセンサーとの間の相対的な位置関係を示す模式図である図３に示されるように、磁気体は、対となる第１磁石ａ１と第２磁石ａ２、及び対となる第三磁石ａ３と第四磁石ａ４を備える。保護カバーが閉じられた後、第１磁石ａ１と第２磁石ａ２との投影がそれぞれホールセンサーＨの左右両側に位置し、即ち、第１磁石ａ１と第２磁石ａ２との投影を連結してなる直線Ｌ１がディスプレイＰの横方向と平行するとともに、第三磁石ａ３と第四磁石ａ４との投影がそれぞれホールセンサーＨの上下両側に位置し、即ち、第三磁石ａ３と第四磁石ａ４との投影を連結してなる直線Ｌ２がディスプレイＰの縦方向と平行する。当然、直線Ｌ１及び直線Ｌ２とディスプレイＰの横方向とがなす角は、その他の角度であってもよい。
【００３６】
以上のことにより、本発明にかかる保護カバー及び当該保護カバーを備える機器について、保護カバーには、少なくとも２つの磁石が設けられることによって、保護カバーがディスプレイを覆い移動したとき、この２つの磁石のうち少なくとも１つの磁石の磁力線が電子機器におけるホールセンサーを通過するので、従来の関連技術における磁石強度を強くすると電子コンパスの安定性に悪影響を与える課題を解決することができる。保護カバーがディスプレイを覆う場合、設けられた少なくとも２つの磁石のうち少なくとも１つの磁石の磁力線が電子機器におけるホールセンサーを通過するので、保護カバーが移動しても、その中の１つの磁石の磁力線がホールセンサーを通過することができる。そのため、磁石強度を強くせず、画面ロックとその解除とを確実に行うことを確保することができる。
【００３７】
同業者にとって、明細書及び本発明を実施した後、本発明の他の実施形態を容易に想到することができる。本願は、本発明の任意な変更、用途或は適応的な変化を含む。これらの変更、用途或は適応的な変化は、本発明の汎用な原理に従い、本発明に記載していない本技術分野における公知常識或は慣用技術手段を含む。明細書と実施例は、例示的なものだけであり、本発明の範囲と主旨が特許請求の範囲によって規定されるべきである。
【００３８】
本発明は、上記の説明且つ図面に示す詳細な構成に限定されず、その範囲内に各種の修正と変更をできる。本発明の範囲は、特許請求の範囲だけで限定されると理解すべきである。
【図１Ａ】
2016524516.tif 000003
【図１Ｂ】
2016524516.tif 000004
【図１Ｃ】
2016524516.tif 000005
【図２Ａ】
2016524516.tif 000006
【図２Ｂ】
2016524516.tif 000007
【図２Ｃ】
2016524516.tif 000008
【図２Ｄ】
2016524516.tif 000009
【図２Ｅ】
2016524516.tif 000010
【図３】
2016524516.tif 000011
【国際調査報告】
2016524516.tif 000012
2016524516.tif 000013
2016524516.tif 000014
2016524516.tif 000015